(57)【要約】【課題】窓ガラス、壁面、またはタイル等に付着する水滴（結露水）の、机、畳、絨緞等への落滴を防止することができる結露水の除去装置の提供。【解決手段】結露水の除去装置Ａは、最も低い位置に滴下用筒部２２を形成し、窓ガラス４から滴下する結露水１を捕集するとともに、結露水１を滴下用筒部２２に案内するための傾斜した溝２６を有し、窓ガラス４へ密着状態に配される腕状体２と、滴下用筒部２２から滴下する結露水１を、滴下用筒部２２に取り付けたチューブ２３を介して受けて貯水するタンク３とからなる。【選択図】　　　　図１
2004011189.tif 000002
【特許請求の範囲】
【請求項１】
最も低い位置に滴下用筒部を形成し、結露発生面から滴下する結露水を補集するとともに、前記結露水を前記滴下用筒部に案内するための傾斜した溝を有し、前記結露発生面へ密着状態に配される腕状体と、
前記滴下用筒部から滴下する前記結露水を、直接または前記滴下用筒部に取り付けたチューブを介して受けて貯水するタンクとからなる結露水の除去装置。
【請求項２】
前記腕状体の略中央または左方寄りに最も低い位置を設定したことを特徴とする請求項１に記載の結露水の除去装置。
【請求項３】
前記滴下用筒部に取り付けた前記チューブの先端がタンク内に出し入れ可能に臨んでいることを特徴とする請求項１または請求項２に記載の結露水の除去装置。
【請求項４】
前記結露発生面は窓ガラスであり、
前記腕状体や前記タンクは、粘着剤、粘着テープ、両面テープ、吸盤、または一組の磁石により前記窓ガラスの下部へ着脱自在に固定されている請求項１乃至請求項３の何れかに記載の結露水の除去装置。
【請求項５】
前記結露発生面は壁面であり、
前記腕状体や前記タンクは、粘着剤、ピン、画鋲、または釘により前記壁面の下部へ着脱自在に固定されている請求項１乃至請求項３の何れかに記載の結露水の除去装置。
【請求項６】
前記結露発生面はタイルであり、
前記腕状体や前記タンクは、粘着剤、粘着テープ、両面テープ、または吸盤により前記タイルの下部へ着脱自在に固定されている請求項１乃至請求項３の何れかに記載の結露水の除去装置。
【発明の詳細な説明】
【０００１】
【発明の属する技術分野】
本発明は、窓ガラス、壁面、またはタイル等に付着する水滴（結露水）を補集して落滴を防止する結露水の除去装置に関する。
【０００２】
【従来の技術】
石油ストーブを長時間焚いた時や寒い朝等に、室内空気の水蒸気が凝縮して、窓ガラス、壁面、またはタイル等に水滴（結露水）が付着する。この結露水の量が多いと、落滴して、机、畳、絨緞等を汚すことがある。
【０００３】
このため、窓を開けて水蒸気を多く含んだ空気を逃がしたり、窓ガラス、壁面、またはタイル等に付着した結露水を拭き取っていた。
【０００４】
【発明が解決しようとする課題】
前者の方法を用いると室温が下がる。
後者の方法では、定期的に結露水を拭き取る必要があり、面倒である。
【０００５】
本発明の目的は、窓ガラス、壁面、またはタイル等に付着する水滴（結露水）の、机、畳、絨緞等への落滴を防止することができる結露水の除去装置の提供にある。
【０００６】
【課題を解決するための手段】
［請求項１について］
結露水の除去装置は、最も低い位置に滴下用筒部を形成し、結露発生面から滴下する結露水を補集するとともに、結露水を滴下用筒部に案内するための傾斜した溝を有し、結露発生面へ密着状態に配される腕状体と、滴下用筒部から滴下する結露水を、直接または滴下用筒部に取り付けたチューブを介して受けて貯水するタンクとからなる。
【０００７】
結露発生面に付着した結露水（水滴）が大きくなって重くなると滴下し、腕状体の溝に入り、傾斜により滴下用筒部に向かい、直接または滴下用筒部に取り付けたチューブを経てタンクに達する。
これにより、結露水の除去装置は、結露発生面に付着した水滴（結露水）をタンクに回収できるので、結露水の、机、畳、絨緞等への落滴を防止することができる。
【０００８】
［請求項２について］
通常の結露発生面（内方の窓ガラス、壁面、タイル）に結露水の除去装置を取り付ける場合には、腕状体の略中央に最も低い位置を設定する。これにより、滴下した結露水を補集できない、死角となる結露発生面の面積を極力、小さくすることができる。
【０００９】
結露水の除去装置を取り付ける結露発生面が外方に位置する窓ガラスの場合には、腕状体の左方寄りに最も低い位置を設定する。
これにより、タンクを外方に位置する窓ガラスの左方寄りに位置決めすることができ、結露水の除去装置を外方に位置する窓ガラスに取り付けた状態で、内方の窓ガラスをタンク近傍まで開けることができる。なお、腕状体の幅を内方の窓ガラスを閉める際に当たらない程度に薄くする。
【００１０】
［請求項３について］
滴下用筒部に取り付けたチューブの先端がタンク内に出し入れ可能に臨んでいる。
このため、タンクが満水になった場合には、腕状体を結露発生面に固定した状態でタンクからチューブの先端を取り出し、そのタンクを流し等に持っていって結露水を捨てることができる。
【００１１】
［請求項４について］
結露発生面が窓ガラスの場合には、腕状体やタンクを、粘着剤、粘着テープ、両面テープ、吸盤、またはガラスを挟んで配置した一組の磁石により、窓ガラスの下部へ着脱自在に固定する。
【００１２】
［請求項５について］
結露発生面が壁面の場合には、腕状体やタンクを、粘着剤、ピン、画鋲、または釘により壁面の下部へ着脱自在に固定する。
【００１３】
［請求項６について］
結露発生面がタイルの場合には、腕状体やタンクを、粘着剤、粘着テープ、両面テープ、または吸盤によりタイルの下部へ着脱自在に固定する。
【００１４】
【発明の実施の形態】
本発明の第１実施例に係る結露水の除去装置Ａ（請求項１〜４に対応）を、図１に基づいて説明する。
結露水の除去装置Ａは、結露水１を補集して案内する腕状体２と、結露水１を貯水するタンク３とからなる。
【００１５】
結露水１は、外気温度に近い温度の窓ガラス４によって室内空気が冷やされ、含有する水蒸気が凝縮してガラス内側面（室内側）に付着した水滴である。
なお、石油ストーブを長時間焚いた時や寒い朝等に、顕著に生じる。
【００１６】
テープ５により、外方に位置する窓ガラス４の内側面に密着状態に貼着される腕状体２は、最も低い位置を左方寄りに設定し、下方に膨出する膨出部２１（横幅７ｃｍ、高さ最大１５ｃｍ）を上記最も低い位置に形成している。この膨出部２１の底面には滴下用筒部２２が形成され、この滴下用筒部２２にはチューブ２３が外嵌され、下方に垂れている。
【００１７】
この腕状体２は、膨出部２１に向かって下方に傾斜（１０°）する様に左右に腕部２４、２５（幅５ｍｍ）を延出し、これら腕部２４、２５に断面略Ｕ字状の溝２６、２６を形成している。また、本実施例では、（左の腕部２４の長さ）＜（右の腕部２５の長さ）とし、最も低い位置を左方寄りに設定している。なお、（左の腕部２４の長さ）＋（右の腕部２５の長さ）は、窓ガラス４の横の長さより若干長く設定されている。
【００１８】
タンク３は、蓋３１付の透明の函体であり、腕状体２の膨出部２１の下方に設置されている。また、挿入穴３２を介してチューブ２３の先端がタンク３内に臨んでいる。
なお、タンク３が満水になった場合に備え、蓋３１にドレン穴３３を開け、ドレン穴３３から溢れた結露水１を受ける受け皿３４を設けている。
【００１９】
本実施例の結露水の除去装置Ａは、以下の利点を有する。
［ア］窓ガラス４の内側面に付着した結露水１（水滴）が大きくなって重くなると滴下して腕状体２の溝２６、２６に入り、傾斜が付いているので滴下用筒部２２に向かい、滴下用筒部２２およびチューブ２３を経てタンク３に達する。
これにより、結露水の除去装置Ａは、窓ガラス４に付着した水滴（結露水１）をタンク３に回収できるので、結露水１の、机、畳、絨緞等への落滴を防止することができる。
【００２０】
［イ］腕状体２の左方寄りに膨出部２１（最も低い位置）を設定している。
このため、外方に位置する窓ガラス４の内側面に結露水の除去装置Ａを取り付けた場合に、タンク３を窓ガラス４の左方寄りに配置することができる。
これにより、結露水の除去装置Ａを窓ガラス４に取り付けた状態で、内方の窓ガラスをタンク３近傍まで開けることができる。なお、腕部２５が５ｍｍと薄いので、内方の窓ガラスを開ける際に、内方の窓ガラスが腕状体２に当たらない。
【００２１】
［ウ］滴下用筒部２２に外嵌されるチューブ２３の先端がタンク３内に臨んでいる。
このため、タンク３が満水になった場合には、腕状体２を窓ガラス４に固定した状態（窓ガラス４から腕状体２を取り外す必要がない）で、タンク３からチューブ２３の先端を取り出し、そのタンク３を流し等に持っていって結露水１を捨てることができる。
【００２２】
［エ］結露水の除去装置Ａは、腕状体２やタンク３を、テープ５により窓ガラス４に密着状態に貼着している。
テープ５は安価であるので、窓ガラス４への取り付けと取り外しを多数回、行っても維持費を安く抑えることができる。
【００２３】
つぎに、本発明の第２実施例に係る結露水の除去装置Ｂ（請求項１、２、３、５に対応）を、図２に基づいて説明する。
結露水の除去装置Ｂは、結露水１を補集して案内する腕状体２と、結露水１を貯水するタンク３とからなる。
【００２４】
結露水１は、外気温度に近い温度の壁面６によって室内空気が冷やされ、含有する水蒸気が凝縮して壁面６に付着した水滴である。
なお、石油ストーブを長時間焚いた時や寒い朝等に、顕著に生じる。
【００２５】
テープ５により、外方に位置する壁面６の内側面に密着状態に貼着される腕状体２は、下方に膨出する膨出部２１（横幅７ｃｍ、高さ最大１５ｃｍ）を、中央に設定し、その膨出部２１を最も低い位置に形成している。
この膨出部２１の底面には滴下用筒部２２が形成され、この滴下用筒部２２にはチューブ２３が外嵌され、下方に垂れている。
【００２６】
この腕状体２は、膨出部２１に向かって下方に傾斜（１０°）する様に左右に腕部２４、２５（幅５ｍｍ）を延出し、これら腕部２４、２５に断面略Ｕ字状の溝２６、２６を形成している。また、本実施例では、（左の腕部２４の長さ）＝（右の腕部２５の長さ）とし、最も低い位置を壁面６の中央に設定している。なお、（左の腕部２４の長さ）＋（右の腕部２５の長さ）は、壁面６の横の長さより若干長く設定されている。
【００２７】
タンク３は、蓋３１付の透明の函体であり、腕状体２の膨出部２１の下方に設置されている。また、挿入穴３２を介してチューブ２３の先端がタンク３内に臨んでいる。
なお、タンク３が満水になった場合に備え、蓋３１にドレン穴３３を開け、ドレン穴３３から溢れた結露水１を受ける受け皿３４を設けている。
【００２８】
本実施例の結露水の除去装置Ｂは、以下の利点を有する。
［オ］壁面６の内側面に付着した結露水１（水滴）が大きくなって重くなると滴下して腕状体２の溝２６、２６に入り、傾斜が付いているので滴下用筒部２２に向かい、滴下用筒部２２およびチューブ２３を経てタンク３に達する。
これにより、結露水の除去装置Ｂは、壁面６に付着した水滴（結露水１）をタンク３に回収できるので、結露水１の、机、畳、絨緞等への落滴を防止することができる。
【００２９】
［カ］腕状体２の中央に膨出部２１（最も低い位置）を設定している。
このため、壁面６の内側面に結露水の除去装置Ｂを取り付けた場合に、タンク３を壁面６の中央に配置することができる。
これにより、壁面６から滴下した結露水１を、結露水の除去装置Ｂの腕状体２で補集できない、死角となる壁面６の面積を極力、小さくすることができる。
【００３０】
本発明は、上記実施例の他、以下の実施態様を含む。
ａ．滴下用筒部２２は、最も低い位置に入口が開口していれば良く、下方に延出する（図１および図２に示すもの）以外に、図３に示す様に、手前方向に延出する構成であっても良い。
【００３１】
ｂ．結露発生面が窓ガラス４の場合には、腕状体やタンクを、粘着テープ以外に、粘着剤、両面テープ、吸盤、または一組の磁石により窓ガラスの下部へ着脱自在に固定しても良い（請求項４に対応）。
【００３２】
ｃ．結露発生面が壁面６の場合には、腕状体やタンクを、粘着剤、ピン、画鋲、または釘により壁面の下部へ着脱自在に固定しても良い（請求項５に対応）。
【００３３】
ｄ．結露発生面がタイルの場合には、腕状体やタンクを、粘着剤、粘着テープ、両面テープ、または吸盤によりタイルの下部へ着脱自在に固定しても良い（請求項６に対応）。
【図面の簡単な説明】
【図１】本発明の第１実施例に係る結露水の除去装置の構造を示す説明図である。
【図２】本発明の第２実施例に係る結露水の除去装置の構造を示す説明図である。
【図３】滴下用筒部の変形例を示す説明図である。
【符号の説明】
Ａ、Ｂ　結露水の除去装置
１　結露水
２　腕状体
３　タンク
４　窓ガラス（結露発生面）
５　テープ（粘着テープ）
６　壁面（結露発生面）
２２　滴下用筒部
２３　チューブ
２６　溝
【図１】
2004011189.tif 000003
【図２】
2004011189.tif 000004
【図３】
2004011189.tif 000005
【手続補正書】
【提出日】平成14年6月5日(2002.6.5)
【手続補正１】
【補正対象書類名】明細書
【補正対象項目名】全文
【補正方法】変更
【補正の内容】
【発明の詳細な説明】
【特許請求の範囲】
【請求項１】最も低い位置に滴下用筒部を形成し、結露発生面から滴下する結露水を捕集するとともに、前記結露水を前記滴下用筒部に案内するための傾斜した溝を有し、前記結露発生面へ密着状態に配される腕状体と、
前記滴下用筒部から滴下する前記結露水を、直接または前記滴下用筒部に取り付けたチューブを介して受けて貯水するタンクとからなる結露水の除去装置。
【請求項２】前記腕状体の略中央または左方寄りに最も低い位置を設定したことを特徴とする請求項１に記載の結露水の除去装置。
【請求項３】前記滴下用筒部に取り付けた前記チューブの先端がタンク内に出し入れ可能に臨んでいることを特徴とする請求項１または請求項２に記載の結露水の除去装置。
【請求項４】前記結露発生面は窓ガラスであり、
前記腕状体や前記タンクは、粘着剤、粘着テープ、両面テープ、吸盤、または一組の磁石により前記窓ガラスの下部へ着脱自在に固定されている請求項１乃至請求項３の何れかに記載の結露水の除去装置。
【請求項５】前記結露発生面は壁面であり、
前記腕状体や前記タンクは、粘着剤、ピン、画鋲、または釘により前記壁面の下部へ着脱自在に固定されている請求項１乃至請求項３の何れかに記載の結露水の除去装置。
【請求項６】前記結露発生面はタイルであり、
前記腕状体や前記タンクは、粘着剤、粘着テープ、両面テープ、または吸盤により前記タイルの下部へ着脱自在に固定されている請求項１乃至請求項３の何れかに記載の結露水の除去装置。
【発明の詳細な説明】
【０００１】
【発明の属する技術分野】
本発明は、窓ガラス、壁面、またはタイル等に付着する水滴（結露水）を捕集して落滴を防止する結露水の除去装置に関する。
【０００２】
【従来の技術】
石油ストーブを長時間焚いた時や寒い朝等に、室内空気の水蒸気が凝縮して、窓ガラス、壁面、またはタイル等に水滴（結露水）が付着する。この結露水の量が多いと、落滴して、机、畳、絨緞等を汚すことがある。
【０００３】
このため、窓を開けて水蒸気を多く含んだ空気を逃がしたり、窓ガラス、壁面、またはタイル等に付着した結露水を拭き取っていた。
【０００４】
【発明が解決しようとする課題】
前者の方法を用いると室温が下がる。
後者の方法では、定期的に結露水を拭き取る必要があり、面倒である。
【０００５】
本発明の目的は、窓ガラス、壁面、またはタイル等に付着する水滴（結露水）の、机、畳、絨緞等への落滴を防止することができる結露水の除去装置の提供にある。
【０００６】
【課題を解決するための手段】
［請求項１について］
結露水の除去装置は、最も低い位置に滴下用筒部を形成し、結露発生面から滴下する結露水を捕集するとともに、結露水を滴下用筒部に案内するための傾斜した溝を有し、結露発生面へ密着状態に配される腕状体と、滴下用筒部から滴下する結露水を、直接または滴下用筒部に取り付けたチューブを介して受けて貯水するタンクとからなる。
【０００７】
結露発生面に付着した結露水（水滴）が大きくなって重くなると滴下し、腕状体の溝に入り、傾斜により滴下用筒部に向かい、直接または滴下用筒部に取り付けたチューブを経てタンクに達する。
これにより、結露水の除去装置は、結露発生面に付着した水滴（結露水）をタンクに回収できるので、結露水の、机、畳、絨緞等への落滴を防止することができる。
【０００８】
［請求項２について］
通常の結露発生面（内方の窓ガラス、壁面、タイル）に結露水の除去装置を取り付ける場合には、腕状体の略中央に最も低い位置を設定する。これにより、滴下した結露水を捕集できない、死角となる結露発生面の面積を極力、小さくすることができる。
【０００９】
結露水の除去装置を取り付ける結露発生面が外方に位置する窓ガラスの場合には、腕状体の左方寄りに最も低い位置を設定する。
これにより、タンクを外方に位置する窓ガラスの左方寄りに位置決めすることができ、結露水の除去装置を外方に位置する窓ガラスに取り付けた状態で、内方の窓ガラスをタンク近傍まで開けることができる。なお、腕状体の幅を内方の窓ガラスを閉める際に当たらない程度に薄くする。
【００１０】
［請求項３について］
滴下用筒部に取り付けたチューブの先端がタンク内に出し入れ可能に臨んでいる。
このため、タンクが満水になった場合には、腕状体を結露発生面に固定した状態でタンクからチューブの先端を取り出し、そのタンクを流し等に持っていって結露水を捨てることができる。
【００１１】
［請求項４について］
結露発生面が窓ガラスの場合には、腕状体やタンクを、粘着剤、粘着テープ、両面テープ、吸盤、またはガラスを挟んで配置した一組の磁石により、窓ガラスの下部へ着脱自在に固定する。
【００１２】
［請求項５について］
結露発生面が壁面の場合には、腕状体やタンクを、粘着剤、ピン、画鋲、または釘により壁面の下部へ着脱自在に固定する。
【００１３】
［請求項６について］
結露発生面がタイルの場合には、腕状体やタンクを、粘着剤、粘着テープ、両面テープ、または吸盤によりタイルの下部へ着脱自在に固定する。
【００１４】
【発明の実施の形態】
本発明の第１実施例に係る結露水の除去装置Ａ（請求項１〜４に対応）を、図１に基づいて説明する。
結露水の除去装置Ａは、結露水１を捕集して案内する腕状体２と、結露水１を貯水するタンク３とからなる。
【００１５】
結露水１は、外気温度に近い温度の窓ガラス４によって室内空気が冷やされ、含有する水蒸気が凝縮してガラス内側面（室内側）に付着した水滴である。
なお、石油ストーブを長時間焚いた時や寒い朝等に、顕著に生じる。
【００１６】
テープ５により、外方に位置する窓ガラス４の内側面に密着状態に貼着される腕状体２は、最も低い位置を左方寄りに設定し、下方に膨出する膨出部２１（横幅７ｃｍ、高さ最大１５ｃｍ）を上記最も低い位置に形成している。この膨出部２１の底面には滴下用筒部２２が形成され、この滴下用筒部２２にはチューブ２３が外嵌され、下方に垂れている。
【００１７】
この腕状体２は、膨出部２１に向かって下方に傾斜（１０°）する様に左右に腕部２４、２５（幅５ｍｍ）を延出し、これら腕部２４、２５に断面略Ｕ字状の溝２６、２６を形成している。また、本実施例では、（左の腕部２４の長さ）＜（右の腕部２５の長さ）とし、最も低い位置を左方寄りに設定している。なお、（左の腕部２４の長さ）＋（右の腕部２５の長さ）は、窓ガラス４の横の長さより若干長く設定されている。
【００１８】
タンク３は、蓋３１付の透明の函体であり、腕状体２の膨出部２１の下方に設置されている。また、挿入穴３２を介してチューブ２３の先端がタンク３内に臨んでいる。
なお、タンク３が満水になった場合に備え、蓋３１にドレン穴３３を開け、ドレン穴３３から溢れた結露水１を受ける受け皿３４を設けている。
【００１９】
本実施例の結露水の除去装置Ａは、以下の利点を有する。
［ア］窓ガラス４の内側面に付着した結露水１（水滴）が大きくなって重くなると滴下して腕状体２の溝２６、２６に入り、傾斜が付いているので滴下用筒部２２に向かい、滴下用筒部２２およびチューブ２３を経てタンク３に達する。
これにより、結露水の除去装置Ａは、窓ガラス４に付着した水滴（結露水１）をタンク３に回収できるので、結露水１の、机、畳、絨緞等への落滴を防止することができる。
【００２０】
［イ］腕状体２の左方寄りに膨出部２１（最も低い位置）を設定している。
このため、外方に位置する窓ガラス４の内側面に結露水の除去装置Ａを取り付けた場合に、タンク３を窓ガラス４の左方寄りに配置することができる。
これにより、結露水の除去装置Ａを窓ガラス４に取り付けた状態で、内方の窓ガラスをタンク３近傍まで開けることができる。なお、腕部２５が５ｍｍと薄いので、内方の窓ガラスを開ける際に、内方の窓ガラスが腕状体２に当たらない。
【００２１】
［ウ］滴下用筒部２２に外嵌されるチューブ２３の先端がタンク３内に臨んでいる。
このため、タンク３が満水になった場合には、腕状体２を窓ガラス４に固定した状態（窓ガラス４から腕状体２を取り外す必要がない）で、タンク３からチューブ２３の先端を取り出し、そのタンク３を流し等に持っていって結露水１を捨てることができる。
【００２２】
［エ］結露水の除去装置Ａは、腕状体２やタンク３を、テープ５により窓ガラス４に密着状態に貼着している。
テープ５は安価であるので、窓ガラス４への取り付けと取り外しを多数回、行っても維持費を安く抑えることができる。
【００２３】
つぎに、本発明の第２実施例に係る結露水の除去装置Ｂ（請求項１、２、３、５に対応）を、図２に基づいて説明する。
結露水の除去装置Ｂは、結露水１を捕集して案内する腕状体２と、結露水１を貯水するタンク３とからなる。
【００２４】
結露水１は、外気温度に近い温度の壁面６によって室内空気が冷やされ、含有する水蒸気が凝縮して壁面６に付着した水滴である。
なお、石油ストーブを長時間焚いた時や寒い朝等に、顕著に生じる。
【００２５】
テープ５により、外方に位置する壁面６の内側面に密着状態に貼着される腕状体２は、下方に膨出する膨出部２１（横幅７ｃｍ、高さ最大１５ｃｍ）を、中央に設定し、その膨出部２１を最も低い位置に形成している。
この膨出部２１の底面には滴下用筒部２２が形成され、この滴下用筒部２２にはチューブ２３が外嵌され、下方に垂れている。
【００２６】
この腕状体２は、膨出部２１に向かって下方に傾斜（１０°）する様に左右に腕部２４、２５（幅５ｍｍ）を延出し、これら腕部２４、２５に断面略Ｕ字状の溝２６、２６を形成している。また、本実施例では、（左の腕部２４の長さ）＝（右の腕部２５の長さ）とし、最も低い位置を壁面６の中央に設定している。なお、（左の腕部２４の長さ）＋（右の腕部２５の長さ）は、壁面６の横の長さより若干長く設定されている。
【００２７】
タンク３は、蓋３１付の透明の函体であり、腕状体２の膨出部２１の下方に設置されている。また、挿入穴３２を介してチューブ２３の先端がタンク３内に臨んでいる。
なお、タンク３が満水になった場合に備え、蓋３１にドレン穴３３を開け、ドレン穴３３から溢れた結露水１を受ける受け皿３４を設けている。
【００２８】
本実施例の結露水の除去装置Ｂは、以下の利点を有する。
［オ］壁面６の内側面に付着した結露水１（水滴）が大きくなって重くなると滴下して腕状体２の溝２６、２６に入り、傾斜が付いているので滴下用筒部２２に向かい、滴下用筒部２２およびチューブ２３を経てタンク３に達する。
これにより、結露水の除去装置Ｂは、壁面６に付着した水滴（結露水１）をタンク３に回収できるので、結露水１の、机、畳、絨緞等への落滴を防止することができる。
【００２９】
［カ］腕状体２の中央に膨出部２１（最も低い位置）を設定している。
このため、壁面６の内側面に結露水の除去装置Ｂを取り付けた場合に、タンク３を壁面６の中央に配置することができる。
これにより、壁面６から滴下した結露水１を、結露水の除去装置Ｂの腕状体２で捕集できない、死角となる壁面６の面積を極力、小さくすることができる。
【００３０】
本発明は、上記実施例の他、以下の実施態様を含む。
ａ．滴下用筒部２２は、最も低い位置に入口が開口していれば良く、下方に延出する（図１および図２に示すもの）以外に、図３に示す様に、手前方向に延出する構成であっても良い。
【００３１】
ｂ．結露発生面が窓ガラス４の場合には、腕状体やタンクを、粘着テープ以外に、粘着剤、両面テープ、吸盤、または一組の磁石により窓ガラスの下部へ着脱自在に固定しても良い（請求項４に対応）。
【００３２】
ｃ．結露発生面が壁面６の場合には、腕状体やタンクを、粘着剤、ピン、画鋲、または釘により壁面の下部へ着脱自在に固定しても良い（請求項５に対応）。
【００３３】
ｄ．結露発生面がタイルの場合には、腕状体やタンクを、粘着剤、粘着テープ、両面テープ、または吸盤によりタイルの下部へ着脱自在に固定しても良い（請求項６に対応）。
【図面の簡単な説明】
【図１】本発明の第１実施例に係る結露水の除去装置の構造を示す説明図である。
【図２】本発明の第２実施例に係る結露水の除去装置の構造を示す説明図である。
【図３】滴下用筒部の変形例を示す説明図である。
【符号の説明】
Ａ、Ｂ　結露水の除去装置
１　結露水
２　腕状体
３　タンク
４　窓ガラス（結露発生面）
５　テープ（粘着テープ）
６　壁面（結露発生面）
２２　滴下用筒部
２３　チューブ
２６　溝